【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
下記を具備する、通信システムにおいて、複数の通信リンクを介して、複数のユーザーと、遠隔送信所との間の通信の方法において、
前記複数のユーザーの各々に前記複数の通信リンクの少なくとも１つを割り当てることと、
スケジューリングメトリックを前記複数の通信リンクの各々に割り当てることであって、前記スケジューリングメトリックは一部分リンク品質とユーザーデータスループットとの比に基づくことと、
前記割り当てられたスケジューリングメトリックに基づいて、前記通信のためのデータの送信のための前記複数の通信リンクの数を選択することと、
を備えた方法。
【請求項２】
本質的に共通の送信時間フレーム上で前記選択された数の通信リンクの１つ以上で前記複数のユーザーの少なくとも１つに前記遠隔送信所から送信することをさらに備えた請求項１に記載の方法。
【請求項３】
前記複数の通信リンクは、少なくとも２つの異なるチャネル送信周波数上である、請求項２に記載の方法。
【請求項４】
前記複数の通信リンクは、少なくとも２つの異なる送信アンテナ上である、請求項２に記載の方法。
【請求項５】
瞬時のリンク品質と平均ユーザーデータスループットの比に基づいて、前記スケジューリングメトリックを決定することをさらに備えた請求項１に記載の方法。
【請求項６】
前記瞬時リンク品質は、決定された可能な最大通信データレートの因子を含む請求項５に記載の方法。
【請求項７】
前記瞬時リンク品質は、雑音および干渉比に対する通信リンクキャリアの因子を含む、請求項５に記載の方法。
【請求項８】
前記複数の通信リンクに割り当てられた前記スケジューリングメトリックは、前記複数のユーザーの少なくとも一人から受信した少なくとも通信リンク品質リポートに基づく、請求項１に記載の方法。
【請求項９】
前記通信リンク品質リポートは、送信周波数、送信時間および送信アンテナの少なくとも１つにより特徴づけられる通信チャネルにより提供される前記複数の通信リンクの少なくとも１つの通信リンクのリポートを含む、請求項８に記載の方法。
【請求項１０】
前記通信に対して、前記複数の通信リンクを、送信周波数、送信時間および送信アンテナの少なくとも１つにより特徴づけられる少なくとも１つの通信チャネルに割り当てることをさらに備えた、請求項１に記載の方法。
【請求項１１】
各通信リンクに対して、下記を含む多数の品質因子から選択された少なくとも品質因子を決定することにより前記スケジューリングメトリックを決定することと、
データスループットを表す値、前記ユーザーに割り当てられた１つ以上の通信リンク上である期間にわたってユーザーに送信されたデータの量により決定されるユーザーデータスループットを表す値、前記ユーザーに割り当てられた前記少なくとも１つの通信リンク上で最も高い可能な通信データレートを表す値、および前記多数の品質因子のうちの少なくとも２つの瞬時のまたはフィルターされた値の比を表す値と、
をさらに備えた、請求項１に記載の方法。
【請求項１２】
前記割り当てられたスケジューリングメトリックに基づく前記通信のための前記複数の通信リンクの前記数を選択することは、高い値のスケジューリングメトリックに関連する通信リンクを選択することを含む、請求項１に記載の方法。
【請求項１３】
前記通信のために前記選択された数の前記複数の通信リンクを介して送信することをさらに備えた、請求項１に記載の方法。
【請求項１４】
通信システムにおいて、複数の通信リンク上で、複数のユーザーと遠隔送信所との間の通信のための装置において、
前記複数の通信リンクの少なくとも１つに前記複数のユーザーの各々を割り当てる手段と、
スケジューリングメトリックを前記複数の通信リンクの各々に割り当てる手段であって、前記スケジューリングメトリックは一部分リンク品質とユーザーデータスループットとの比に基づく手段と、
前記割り当てられたスケジューリングメトリックに基づいて前記通信に対してデータの送信のために前記複数の通信リンクの数を選択する手段と、
を備えた装置。
【請求項１５】
本質的に共通の送信時間フレーム上で１つ以上の前記選択された数の通信リンク上で前記複数のユーザーの少なくとも一人に前記遠隔送信所から送信する送信機をさらに備えた、請求項１４に記載の装置。
【請求項１６】
前記複数の通信リンクは、少なくとも２つの異なるチャネル送信周波数上である、請求項１５に記載の装置。
【請求項１７】
前記複数の通信リンクは、少なくとも２つの異なる送信アンテナ上である、請求項１５に記載の装置。
【請求項１８】
瞬時リンク品質と平均ユーザーデータスループットとの比に基づいて前記スケジューリングメトリックを決定する手段をさらに備えた、請求項１４に記載の装置。
【請求項１９】
前記瞬時リンク品質は、決定された可能な最大通信データレートを含む、請求項１８に記載の装置。
【請求項２０】
前記瞬時リンク品質は、雑音および干渉比に対する通信リンクキャリアの因子を含む、請求項１８に記載の装置。
【請求項２１】
前記複数の通信リンクに割り当てられた前記スケジューリングメトリックは、前記複数のユーザーの少なくとも一人から受信した少なくとも通信リンク品質リポートに基づく、請求項１４に記載の装置。
【請求項２２】
前記通信リンク品質リポートは、送信周波数、送信時間、および送信アンテナの少なくとも１つにより特徴づけられる通信チャネルにより供給される前記複数の通信リンクの少なくとも１つの通信リンクのリポートを含む、請求項２１に記載の装置。
【請求項２３】
前記通信に対して、送信周波数、送信時間、および送信アンテナの少なくとも１つにより特徴づけられる通信チャネルの少なくとも１つに前記複数の通信リンクを割り当てる手段をさらに備えた、請求項１４に記載の装置。
【請求項２４】
各通信リンクに対して、下記を含む多数の品質因子から選択された少なくとも品質因子を決定することにより前記スケジューリングメトリックを決定する手段と、
データスループットを表す値、前記ユーザーに割り当てられた１つ以上の前記通信リンク上の期間にわたってユーザーに送信されたデータの量により決定されるユーザーデータスループットを表す値、前記ユーザーに割り当てられた前記通信リンクの少なくとも１つ上で最も高い可能な通信データレートを表す値、および少なくとも２つの前記品質因子の数の瞬時のまたはフィルターされた値の比を表す値と、
をさらに備えた、請求項１４に記載の装置。
【請求項２５】
前記割り当てられたスケジューリングメトリックに基づいて前記通信のための前記複数の通信リンクの前記数を選択することは、高い値のスケジューリングメトリックに関連する通信リンクを選択することを含む、請求項１４に記載の装置。
【請求項２６】
前記通信のために前記選択された数の前記複数の通信リンクを介して送信する送信機をさらに備えた、請求項１４に記載の装置。
【請求項２７】
請求項１乃至１３のいずれかの方法の実行のための実行可能な命令を備えたコンピュータープログラム。
【請求項２８】
複数の通信チャネルに関連する通信リンク品質リポートを送信することであって、各通信チャネルは、送信周波数、送信時間および送信アンテナの少なくとも１つにより特徴づけられることと、
共通送信時間フレームに対して選択された数の前記複数の通信チャネルを介してデータを受信することと、
を備えた通信のための方法。
【請求項２９】
前記選択された数の複数の通信チャネルは異なる送信周波数により特徴づけられる、請求項２８に記載の方法。
【請求項３０】
前記選択された数の複数の通信チャネルは異なる送信アンテナにより特徴づけられる、請求項２８に記載の方法。
【請求項３１】
前記データは、前記選択された数の複数の通信チャネルの各々上の通信リンクを介して受信される、請求項２８に記載の方法。
【請求項３２】
請求項２８乃至３１のいずれかの方法の実行のための実行可能な命令を備えたコンピュータープログラム。
【請求項３３】
通信装置において、
複数の通信チャネルに関連する通信リンク品質リポートを送信する手段であって、各通信チャネルは、送信周波数、送信時間および送信アンテナの少なくとも１つにより特徴づけられる手段と、
共通送信時間フレームに対して選択された数の前記複数の通信チャネルを介してデータを受信する手段と、
を備えた通信装置。
【請求項３４】
前記選択された数の前記複数の通信チャネルは異なる送信周波数により特徴づけられる、請求項３３に記載の通信装置。
【請求項３５】
前記選択された数の前記複数の通信チャネルは、異なる送信アンテナにより特徴づけられる、請求項３３に記載の通信装置。
【請求項３６】
前記通信装置は、コンピュータープログラムである、請求項３３乃至３５のいずれかに記載の通信装置。
【手続補正２】
【補正対象書類名】明細書
【補正対象項目名】０００１
【補正方法】変更
【補正の内容】
【０００１】
発明の背景
１．関連出願
この出願は、１９９９年６月３０日に出願された米国特許出願番号０９／３４５，７００の継続である、２００２年２月４日に出願された米国特許出願番号１０／０６７，６０９の一部継続出願であり、現在２００２年９月１０日に発行された米国特許番号第６，４４９，４９０であり、この出願の譲受人にすべて譲渡される。
【手続補正３】
【補正対象書類名】明細書
【補正対象項目名】０００６
【補正方法】変更
【補正の内容】
【０００６】
符号分割多元接続システム（ＣＤＭＡ）では、アクセスは、同じチャネル周波数上で同時に数人のユーザーに許可されるかもしれない。アクセスはいくつかの基準に基づいてユーザーに許可されるかもしれない。最初の基準は、各ユーザーが通信システムに加入したサービスのタイプに関係するかもしれない。アクセスは、加入したサービスの優先順位に基づいて各ユーザーに提供される。例えば、ユーザーは固定ビットレート（ＣＢＲ）サービス、可変ビットレート（ＶＢＲ）サービス、あるいは利用可能ビットレート(ＡＢＲ）サービスを要求してもよい。ＣＢＲサービスを備えたユーザーは加入したデータレート（すなわち、ビットレート)で通信サービスを受信するように保証される。それにひきかえ、ＶＢＲサービスを備えたユーザーの場合、ユーザーは情報を送信するのに必要なレートで通信サービスを供給される。そのような場合、ユーザーの料金は、要求され、ユーザーに許可されたレートに基づいて、典型的に計算される。ユーザーがＡＢＲサービスの代価を払えば、ユーザーが、アクセスの時に利用可能なデータレートでアクセスを与えられる。優先順位の中で、さらにＡＢＲユーザーへのアクセスを提供するシステムに十分な容量がある場合、ＡＢＲユーザーは利用可能なデータレートでアクセスを与えられる。１つの観点では、システムの容量は、ＣＢＲおよびＶＢＲユーザーの電力要件の各々に要求される電力量の観点から増幅器を過度に駆動することなしに十分な電力でＡＢＲユーザーの情報を送信機の増幅器が送信することができるかどうかに典型的に依存する。アクセスが許可される利用可能なデータレートは、ＡＢＲユーザーのデータを送信するために利用される電力量に依存する。ＡＢＲユーザーの一例は、インターネットサービスプロバイダー（ＩＳＰ）の場合である。ＩＳＰの顧客が遅れおよびより低いデータレートを許容することができるので、ＩＳＰは典型的にはそれほど高価でないＡＢＲサービスを選択するかもしれない。さらに、特定の時にＡＢＲサービスを要求しているすべてのＡＢＲユーザーのためにデータを送信するのに不十分な電力がある状況がしばしばある。したがって、送信所は、優先順位においてどのＡＢＲユーザーにサービスを提供することになっているか決定するかもしれない。
【手続補正４】
【補正対象書類名】明細書
【補正対象項目名】００３６
【補正方法】変更
【補正の内容】
【００３６】
図４に示されるように、プロセッサー３０７はフィルターモジュール４０１、スケジューラーメトリック計算機モジュール４０３およびリンク選択プロセッサー４０５を含む。プロセッサー３０７によって実行され、図４に描かれた機能の各々が、単一のソフトウェアまたはハードウェアモジュールに集積してもよく、またはもうひとつの方法として、所望される任意のグループ内のモジュールに集積してもよい。従って、プロセッサー３０７によって実行される１つ以上の機能のグループは単一のモジュールにより実行してもよい。それにもかかわらず、明瞭さのために、１つのフィルターモジュール４０１Ａおよび１つのメトリック計算機モジュール４０３Ａは、チャネル１０６のリンクとフィルターモジュール４０１の間、同様に、フィルターモジュール４０１とスケジューラーメトリック計算機モジュール４０３との間に１対1の対応があるように、一人のユーザー１０４Ａから受信した瞬時のリンク品質インジケーターに関連するように示される。
【手続補正５】
【補正対象書類名】明細書
【補正対象項目名】００３８
【補正方法】変更
【補正の内容】
【００３８】
プロセッサー３０７は、タイムスロット毎にそのリンク１０６Ａに関連するフィルターモジュール４０１Ａ内のリンク１０６Ａの瞬時の状態を示す瞬時リンク品質インジケーターを受信する。フィルターモジュール４０１Ａは、リンク１０６Ａのために受信される瞬時リンク品質インジケーターに基づいてフィルター出力値を計算する。この発明の種々の観点に従って、フィルターは、ロウパスフィルター機能を実行する。
ロウパス機能は、いくつかのフィルター機能の１つを用いて実行することができる。１つのそのようなフィルター機能に従って、下記式で提供されるように、フィルター出力値Ｆ（ｔ）は計算される：
【数１】
2006516871.tif 000001
【手続補正６】
【補正対象書類名】明細書
【補正対象項目名】００４３
【補正方法】変更
【補正の内容】
【００４３】
しかしながら、この発明の種々の観点に従って、フィルター出力値は平均データスループットである。この場合、フィルター出力値は、リンクが選択された期間リンク品質を表わす瞬時のリンク品質の平均として計算される。従って、フィルター出力値は、リンク１０６Ａが最後のスロットで選択されたか否かに違ったふうに依存して計算される。フィルターモジュール４０１Ａは望ましくは、リンク選択プロセッサー４０５に接続される。リンク選択プロセッサー４０５は、リンク１０６Ａが最後のスロットで選択されたかどうか示す。
【手続補正７】
【補正対象書類名】明細書
【補正対象項目名】００５１
【補正方法】変更
【補正の内容】
【００５１】
一度計算されると、フィルター出力値は、最も最近受信される瞬時のリンク品質インジケーターと一緒にスケジューラーメトリック計算機４０３Ａに接続される。最も最近受信される瞬時のリンク品質インジケーターは、瞬時のリンク品質を、リンクのＣ／Ｉ比の形態で、瞬時のデータレートで、またはリンクの現在の品質を示す任意の他のそのようなパラメーターの形態で表す。
【手続補正８】
【補正対象書類名】図面
【補正対象項目名】図１
【補正方法】変更
【補正の内容】
【図１】
2006516871.tif 000002
【手続補正９】
【補正対象書類名】図面
【補正対象項目名】図３
【補正方法】変更
【補正の内容】
【図３】
2006516871.tif 000003
【手続補正１０】
【補正対象書類名】図面
【補正対象項目名】図４
【補正方法】変更
【補正の内容】
【図４】
2006516871.tif 000004